(57)【要約】【課題】減圧吸収パネルの間に設けられた柱部の中央部を補強することによって、胴部を補強した耐熱性延伸ブロー成形容器を提供すること。【解決手段】胴部に複数個の柱部と減圧吸収パネルを設けた耐熱性延伸ブロー成形容器であって、柱部の中央部に、拡幅部を設けたことを特徴とし、また、拡幅部が、柱部の左右に対称形に形成され、拡径部の端部が減圧吸収パネルにほぼ直角に延びる接続面となっていることを特徴とする。【選択図】        図１
2004231275.tif 000002
【特許請求の範囲】
【請求項１】
胴部に複数個の柱部と減圧吸収パネルを設けた耐熱性延伸ブロー成形容器であって、
柱部の中央部に、拡幅部を設けたことを特徴とする耐熱性延伸ブロー成形容器。
【請求項２】
拡幅部が、柱部の左右に対称形に形成され、拡径部の端部が減圧吸収パネルにほぼ直角に延びる接続面となっていることを特徴とする請求項１に記載された耐熱性延伸ブロー成形容器。
【発明の詳細な説明】
【０００１】
【発明の属する技術分野】
本発明は、耐熱性延伸ブロー成形容器、とくに熱充填後の内容液の冷却に伴う容器の減圧に対して、減圧パネルと柱部の強度を高め、耐熱性を向上させた二軸延伸ブロー成形容器に関する。
【０００２】
【従来の技術】
従来の二軸延伸ブロー成形容器においては、加熱した飲料等の内容物を充填密封後に冷却した場合、容器内が減圧状態となる。
その減圧を吸収するため、胴部に柱部と減圧吸収パネルとを設け、減圧吸収効果を向上させるために、さらに減圧吸収パネルの周縁にリブを設けていた（例えば、「特許文献１」参照。）。
【０００３】
【特許文献１】
特開平１０−５８５２７号公報
【０００４】
【発明が解決しようとする課題】
加熱殺菌した高温の内容液を充填する場合には、内容液温度、充填圧力、内容液重量等の影響により、減圧吸収パネルが外方に膨出する。
この時、減圧吸収パネルの中央部にもっとも大きい負荷がかかり、変形を起こしやすい状態にある。
しかし、減圧吸収パネル間に全長にわたってほぼ同一の幅の柱部が設けられた従来の二軸延伸ブロー成形容器では、柱部の中央部および減圧パネルの変形が塑性変形となり、冷却時の減圧による変形状態が不均一になるというおそれがあった。
【０００５】
減圧による変形状態が不均一になると、容器が全体として強度が低下するという問題が生じ、さらに、容器の外観を悪くするだけでなく、充填ラインや、自動販売機に対する適性に劣る等の問題が生じた。
【０００６】
本発明は、上記の問題を解決することを課題とし、減圧吸収パネルの間に設けられた柱部の中央部を補強することによって、胴部を補強した耐熱性延伸ブロー成形容器を提供することを目的とする。
【０００７】
【課題を解決するための手段】
本発明は、上記課題を解決するために、耐熱性延伸ブロー成形容器として、胴部に複数個の柱部と減圧吸収パネルを設けた耐熱性延伸ブロー成形容器であって、柱部の中央部に、拡幅部を設けたことを特徴とする構成を採用する。
【０００８】
拡幅部の実施態様として、拡幅部が、柱部の左右に対称形に形成され、拡径部の端部が減圧吸収パネルにほぼ直角に延びる接続面となっていることを特徴とする構成を採用する。
【０００９】
【発明の実施の形態】
次に、本発明の実施形態について、図面を参照して説明する。
図１において、Ａは二軸延伸ブロー成形された容器であり、口部１、肩部２、胴部３、底部４とからなっている。
胴部３は、肩部２と胴部３上端部との間に配設された上部環状溝５、柱部６、減圧吸収パネル７、および胴部３下端部と底部４との間に配設された下部環状溝８とを具えている。
【００１０】
柱部６と減圧吸収パネル７は、図２に示すように、容器Ａの胴周に等間隔をおいて複数個配列されており、柱部６は、胴周の輪郭を形成する外周面６ａを有しており、柱部６の外周面６ａと減圧吸収パネル７との間は、柱部６左右両側のテーパ部６ｂを介して接続している。
【００１１】
柱部６の長さ方向中央部に、柱部６の外周面６ａより延びる拡幅部９が形成されており、拡幅部９の周縁９ａの形状は、角形としている。
周縁９ａから接続面９ｂがほぼ容器の中心方向に延びており、周縁９ａとテーパ部６ｂとを接続している。
【００１２】
次に、本発明の二軸延伸ブロー成形された容器の作用効果について説明する。
本発明の容器Ａは、加熱殺菌された高温の内容物が熱充填され、キャップを被嵌した後に冷却される。
高温の内容液を充填することにより、容器が内容液温度や充填圧力等に影響され、減圧吸収パネルが外方に膨出変形する。
【００１３】
変形にあたって、減圧吸収パネル７の長手方向の中央部と周方向の中央部に大きい負荷がかかり、中央部が大きく変形する。
また、その負荷が柱部６の中央部にもかかるが、柱部６の中央部には、拡幅部９が設けられており、拡幅部９の周縁９ａから延びる接続面９ｂが減圧吸収パネル７面に対して、ほぼ直角に交叉するので、補強リブとしての役割を果たし、減圧吸収パネル７の変形を阻止するよう作用している。
したがって、柱部６の中央部に拡幅部９を設けたことによって、柱部６の強度を向上させ、減圧吸収パネル７の膨出変形を阻止することができる。
【００１４】
前記実施形態では、拡幅部９の周縁９ａを角形とし、周縁９ａからの接続面９ｂをほぼ中心方向に延びるようにしたが、周縁９ａの形状については、円形、楕円形としてもよく、接続面９ｂは、中心方向に延ばし、減圧吸収パネル７面に対して、ほぼ直角に交叉するように傾斜させているが、接続面９ｂは、凸曲面、凹曲面、テーパ面等に形成してもよい。
また、拡幅部９の位置は、長手方向の中央部としているが、中央部とは、必ずしも中心でなくともよく中心から偏心した位置であってもよい。
【００１５】
さらに、拡幅部９の形状の変形実施例について説明すると、図３（ａ）（ｂ）に示すように、減圧吸収パネル７の端縁から突出し、外周面６ａを含んだ円形の突出面１０としてもよく、また、図３（ｃ）（ｄ）に示すように、柱部６の外周面６ａを、中央部を拡幅部１１とし周端縁を長手方向に漸次傾斜する直線状の端縁１２となるようにしてもよい。
【００１６】
【発明の効果】
本発明は、上記のとおりの構成であるから、次のような効果を奏する。
耐熱性延伸ブロー成形容器において、柱部に拡幅部を設けることによって柱部の中央部の面積を大きくしているため、減圧吸収パネルの膨出変形を阻止することができる。
【００１７】
また、拡幅部の周縁部が減圧吸収パネルとほぼ直角に交叉するようにして剛性を高めてあるから、減圧吸収パネル中央部の膨出変形が防止され、その結果、簡単な構成で、容器全体の強度を向上させることができた。
【図面の簡単な説明】
【図１】本発明耐熱性延伸ブロー成形容器の立面図である。
【図２】（ａ）は図１のＡ−Ａ線における横切断面図、（ｂ）は図１のＢ−Ｂ線における切断面図である。
【図３】図（ａ）は柱部の一実施例の説明図、図（ｂ）は図（ａ）のＡ−Ａ線における断面図、図（ｃ）は別実施例の説明図、図（ｄ）は図（ｃ）のＢ−Ｂ線における断面図である。
【符号の説明】
Ａ      容器
１      口部
２      肩部
３      胴部
４      底部
５      上部環状溝
６      柱部
６ａ    外周面
６ｂ    テーパ部
７      減圧吸収パネル
８      下部環状溝
９      拡幅部
９ａ    周縁
９ｂ    接続面
１０    突出面
１１    直線縁
【図１】
2004231275.tif 000003
【図２】
2004231275.tif 000004
【図３】
2004231275.tif 000005